(57)【要約】【課題】読み取りの操作性を向上すると共に、読み取りの正確性を増すことができるハンディタイプのリーダライタを提供する。【解決手段】このリーダライタ１６０は、ＲＦタグ（非接触情報記憶媒体）２００に記憶されている情報を読み書きするハンディタイプのリーダライタであって、ＲＦタグ２００に記録された情報を電波として送受信するアンテナ９を少なくとも内蔵する筐体１００ａと、筐体１００ａの一側面に備えられ、筐体１００ａを移動可能とする２つのキャスタ（移動手段）３２と、筐体１００ａを移動するために把持する取っ手３１と、を備え、リーダライタ１５０のアンテナ９は、キャスタ３２と直交する面に配設され、側面にはコネクタ１０が備えられ、ケーブル１１によりＰＣ５０と接続されている。【選択図】図３
2010092154.tif 000002
【特許請求の範囲】
【請求項１】
非接触情報記憶媒体に記憶されている情報を読み書きするハンディタイプのリーダライタであって、
前記非接触情報記録媒体に記録された情報を電波として送受信するアンテナを少なくとも内蔵する筐体と、該筐体に備えた移動手段と、を備えたことを特徴とするハンディタイプのリーダライタ。
【請求項２】
前記筐体を移動するための把持用の取っ手を、前記アンテナを配設した筐体面と対向する面に設置したことを特徴とする請求項１に記載のハンディタイプのリーダライタ。
【請求項３】
少なくとも前記アンテナを前記筐体により可動に支持し、該アンテナを移動させる操作ハンドルを備えたことを特徴とする請求項１又は２に記載のハンディタイプのリーダライタ。
【請求項４】
前記操作ハンドルを前記筐体により回転自在に支持し、該操作ハンドルの回転力により前記アンテナを移動させるように構成したことを特徴とする請求項１又は２に記載のハンディタイプのリーダライタ。
【請求項５】
前記リーダライタを高所に移動させるために、前記筐体に延長棒を取り付けたことを特徴とする請求項１乃至４の何れか一項に記載のハンディタイプのリーダライタ。
【請求項６】
前記延長棒の長さを変更可能な構成としたことを特徴とする請求項５に記載のハンディタイプのリーダライタ。
【発明の詳細な説明】
【技術分野】
【０００１】
本発明は、ハンディタイプのリーダライタに関し、さらに詳しくは、ハンディタイプのリーダライタを操作するときの操作性を改善する技術に関するものである。
【背景技術】
【０００２】
従来から役所、会社等、大量の書類を管理、保管する機関、施設においては、書類を整理して収納するためのファイルを人為的なミスなく正確に自動的に管理、収納するために、各ファイル毎にＲＦタグを付し、そのＲＦタグに当該ファイルの管理情報を記録してファイル管理を自動化する試みがなされている。
例えば、ファイル棚の仕切り板にアンテナを埋め込み、各仕切り板間に挟まれた書類に付されたＲＦタグの記録情報を一括して読み取るファイリング装置や、ファイルをファイル棚から取り出してリーダライタで読み込んだり、ハンディタイプのリーダライタを操作してファイルを管理する等のアプリケーションが普及している。
特に、ハンディタイプのリーダライタにおいては、通常その操作方法は、図８に示すように、ファイル５０にリーダライタ１００を近接して矢印Ａ、Ｂの方向に移動させてＲＦタグ２００の情報を読み書きしている。しかし、リーダライタ１００が軽量であっても、長時間腕で支えて作業を行なうのは大きな苦痛が伴う。また、ＲＦタグ２００がファイル５０の一定の高さに貼付されている場合は、常に最適な高さに維持して操作する必要があり、腕で支えながら高さを一定に維持するには困難を伴う。また、ＲＦタグ２００がファイル５０の一定の高さに貼付されているとは限らない場合は、リーダライタ１００を手で支えながら上下に移動して、電波の最適位置を検索しながら操作しなければならず、その間、リーダライタを腕で支え続けなければならないといった問題がある。しかも、ファイル棚の高さが高くなると、更にこのような操作は困難となる。
尚、ハンディタイプのリーダライタとして特許文献１には、アンテナ端部の磁性材料を略直角に折り曲げた構成とすることにより、ファイルの配列方向両端部に配置されたＲＦタグの情報も正確に読み取ることができるハンディリーダについて開示されている。
【特許文献１】特開２００８−５３６６公報
【発明の開示】
【発明が解決しようとする課題】
【０００３】
しかしながら特許文献１に開示されている従来技術は、専用のファイル棚を必要としないが、隣接するファイルを順次読取るためには、ハンディリーダをファイルに差しこみ、読み終わった後にファイルから抜き出し、隣のファイルに差し込むといった一連の動作を繰り返さなければならず、操作性が悪いといった問題がある。
本発明は、かかる課題に鑑みてなされたものであり、ハンディタイプのリーダライタの本体に備えた移動手段と、アンテナが上下にスライドする可動手段とを備え、ファイル棚の棚板上を移動手段により横方向に移動しながら各ファイルに取り付けられたＲＦタグの情報を読み取り、可動手段によりアンテナの高さを最適位置に設定するようにして、読み取りの操作性を向上すると共に、読み取りの正確性を増すことができるハンディタイプのリーダライタを提供することを目的とする。
また他の目的は、本体を高所に移動させるための延長棒を取り付けることにより、高い位置にあるファイル棚に収納されたファイルでも、同じ位置から操作できるようにすることである。
【課題を解決するための手段】
【０００４】
本発明はかかる課題を解決するために、請求項１は、非接触情報記憶媒体に記憶されている情報を読み書きするハンディタイプのリーダライタであって、前記非接触情報記録媒体に記録された情報を電波として送受信するアンテナを少なくとも内蔵する筐体と、該筐体に備えた移動手段と、を備えたことを特徴とする。
ファイルは一般にはファイル棚にサイズを揃えてファイリングされている。また、ファイル棚にファイルを収納した場合、前の部分にファイル棚の余長部分ができることが多い。本発明では、この余長部分を利用して、リーダライタの筐体に移動手段（キャスタ等）を取り付け、筐体がファイル棚の横方向に移動するように移動手段を構成する。そして、アンテナ面をファイルの背文字部分と並行になるように配置する。これにより、ファイル間の移動がスムーズに行なえ、且つアンテナの高さを一定に維持することができる。
請求項２は、前記筐体を移動するための把持用の取っ手を、前記アンテナを配設した筐体面と対向する面に設置したことを特徴とする。
筐体は、少なくともアンテナを内蔵し、リーダライタの各機能部品を全て内蔵する場合もある。従って、筐体はそれなりの重量があり、筐体全体を支持するために取っ手が必要となる。また、筐体を横方向に移動するために、操作がし易い位置に配置する必要がある。そこで本発明では、取っ手をアンテナを配設した面と対向する面に設置する。これにより、取っ手による移動操作が容易となり、操作性を向上させることができる。
【０００５】
請求項３は、少なくとも前記アンテナを前記筐体により可動に支持し、該アンテナを移動させる操作ハンドルを備えたことを特徴とする。
本発明では、アンテナを含む機能部品、特にアンテナを上下にスライドさせるためにその部分を可動に構成して、操作するための操作ハンドルを備える。これにより、操作ハンドルだけで筐体の移動とアンテナを含む機能部品のスライドを行うことができるので、アンテナと非接触情報記憶媒体との位置を最適に設定することができる。
請求項４は、前記操作ハンドルを前記筐体により回転自在に支持し、該操作ハンドルの回転力により前記アンテナを移動させるように構成したことを特徴とする。
アンテナを含む機能部品を上下にスライドさせる場合、操作ハンドルを回転することにより（例えば、歯車等）、アンテナを移動するので、細かく移動距離を調整でき、且つ移動のための力が少なくて済む。
【０００６】
請求項５は、前記リーダライタを高所に移動させるために、前記筐体に延長棒を取り付けたことを特徴とする。
ファイル棚が複数の棚から構成されている場合、上段にあるファイルに対して操作するとき筐体が届かない場合がある。そこで本発明では、筐体を高所に移動するために、筐体に延長棒を取り付ける。これにより、高い位置にあるファイル棚に収納されたファイルでも、同じ位置から操作することができる。
請求項６は、前記延長棒の長さを変更可能な構成としたことを特徴とする。
ファイル棚の段数は、ファイル棚の大きさによりまちまちである。そこで延長棒の長さを一番高い位置に合わせておくと、下段を操作するときに、長さが邪魔になって操作性が悪くなる。そこで本発明では、延長棒の長さを変更可能な構成とする。これにより、ファイル棚の高さに応じて延長棒を最適な長さに調整することができる。
【発明の効果】
【０００７】
本発明によれば、ファイル棚の余長部分を利用して、リーダライタの筐体に移動手段（車輪等）を取り付け、筐体がファイル棚の横方向に移動するように移動手段を構成し、アンテナ面をファイルの背文字部分と並行になるように配置するので、ファイル間の移動がスムーズに行なえ、且つアンテナの高さを一定に維持することができる。
また、取っ手をアンテナを配設した面と対向する面に設置するので、取っ手による移動操作が容易となり、操作性を向上させることができる。
また、アンテナを含む機能部品、特にアンテナを上下にスライドさせるためにその部分を可動に構成して、操作するための操作ハンドルを備えるので、アンテナと非接触情報記憶媒体との位置を最適に設定することができる。
また、アンテナを含む機能部品を上下にスライドさせる場合、操作ハンドルを回転することにより（例えば、歯車等）、アンテナを移動するので、移動させる力が少なくて済み、且つ移動距離を細かく調整することができる。
また、筐体を高所に移動するために、筐体に延長棒を取り付けるので、高い位置にあるファイル棚に収納されたファイルでも、同じ位置から操作することができる。
また、延長棒の長さを変更可能な構成とするので、ファイル棚の高さに応じて延長棒を最適な長さに調整することができる。
【発明を実施するための最良の形態】
【０００８】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は、一般的なリーダライタの構成を示すブロック図である。このリーダライタ１５０は、アンテナ９を含む全ての機能部品を内蔵する筐体１００と、リーダライタ１５０との間でデータの授受を行ってシステム全体を制御するＰＣ５０と接続するケーブル１１及びコネクタ１０を備えている。リーダライタ１５０は、外部のＰＣ５０とのデータの通信プロトコルを司る送受信装置１と、リーダライタ１５０全体の動作を制御する制御装置２と、制御装置２を動作させる手順を記録したファームウェアと読み取ったデータを格納するメモリ装置３と、制御装置２からのデータを搬送波に乗せて変調する変調器４と、操作コマンドを入力する入力装置５と、制御装置２により制御された情報を表示する表示装置６と、制御装置２からの交流信号である電力供給用信号と変調器４からの書き込みコマンドを電力増幅する電力増幅器７と、ループアンテナ９から受信した搬送波から２値化データに変換する検波復調器８と、図示しないＩＣカード（ＲＦタグ）との電力用搬送波とデータの授受をするループアンテナ９とを備えて構成されている。
【０００９】
次に、本構成によるリーダライタ１５０の動作を説明する前に、ＲＦタグの構成を先に説明しておく。図２は、一般的なＲＦタグの構成を示すブロック図である。本実施形態のＲＦタグ２００は、リーダライタ１５０からの電力用搬送波によりデータの授受をするアンテナ２０と、書き込みコマンド読み出しコマンドを生成する送受信回路２１と、アンテナ２０からの電力用搬送波を受け、それを整流して直流電力に変換する電力生成回路２２と、制御用ファームウェアとデータの記憶を司るメモリ装置２３と、制御回路２６からの送信コマンドに搬送波を乗せて変調する変調器２４と、送受信回路２１からの搬送波データから２値化データに変換する検波器２５と、ＲＦタグ２００の全体の動作を制御する制御回路２６から構成されている。
次に、図１と図２を併せて参照してそれぞれ単独の動作について説明する。リーダライタ１５０は、図示しない電源が入れられると制御装置２のイニシャル動作後、メモリ装置３に記憶されたプログラムに従い動作を開始する。まず、初期化が行われる。次に、制御装置２は、ＲＦタグ２００に供給する電力供給用信号と、ポーリング信号を交互に電力増幅器７から送信する。その信号は、ループアンテナ９から電磁波として外部に放射される。次に、ＲＦタグ２００がリーダライタ１００に近接すると、アンテナ２０が電力供給用信号を受信し、電力生成回路２２によりその搬送波を整流して直流電力に変換して、ＲＦタグ２００内の全ての回路に供給する。電力を供給されて制御回路２６が駆動すると、メモリ装置２３に格納されたプログラムに従って、制御を開始する。
【００１０】
次に、制御回路２６は、まず送受信回路２１からコマンドを検波器２５で復調して２値化信号に変換し、そのコマンドを解析する。その結果自分が呼び出されていることを認識すると、レスポンスを変調器２４により変調して送受信回路２１を介してアンテナ２０から送信する。このレスポンスをリーダライタ１５０がループアンテナ９で受信して、検波復調器８で２値化コードに変換し、制御回路２により解析してＲＦタグ２００が規格に合致したＲＦタグであると認識する。それにより、以後リーダライタ１５０とＲＦタグ２００の間でポーリングが行われる。
【００１１】
図３は本発明の第1の実施形態に係るリーダライタの構成を示す外観構成図である。図３（ａ）は正面図、図３（ｂ）は側面図である。同じ構成要素には図１及び図２と同じ参照番号を付して説明する。このリーダライタ１６０は、ＲＦタグ（非接触情報記憶媒体）２００に記憶されている情報を読み書きするハンディタイプのリーダライタであって、ＲＦタグ２００に記録された情報を電波として送受信するアンテナ９を少なくとも内蔵する筐体１００ａと、筐体１００ａの一側面に備えられ、筐体１００ａを移動可能とする２つのキャスタ（移動手段）３２と、筐体１００ａを移動するために把持する取っ手３１と、を備え、リーダライタ１６０のアンテナ９は、キャスタ３２と直交する面に配設され、側面にはコネクタ１０が備えられ、ケーブル１１によりＰＣ５０と接続されている。尚、ＰＣ５０とリーダライタ１６０がケーブル１１により接続されているが、無線により交信する構成でも構わない。
図３では、ファイル棚３３に収納されているファイル３０の背文字部分３０ａとアンテナ９が並行するように配置され、キャスタ３２がファイル棚３３の余長部３３ａに乗るように配置されている。また、ＲＦタグ２００がファイル３０の表表紙、又は裏表紙に取り付けられている場合を想定しており、アンテナ９から放射される磁力線は、ＲＦタグ２００のアンテナ２０（図示せず）を横切ってリーダライタ１６０との交信を可能としている。また、取っ手３１は筐体１００ａに固定されているので、取っ手３１を把持しながら、筐体１００ａを矢印の方向に自由に移動させることができる。そのとき、アンテナ９とＲＦタグ２００との位置関係は、予め最適な位置になるように、キャスタ３２を筐体１００ａに取り付ける。
【００１２】
即ち、ファイル３０は一般にはファイル棚３３にサイズを揃えてファイリングされている。また、ファイル棚３３にファイル３０を収納した場合、前の部分に棚板の余長部分３３ａができることが多い。本実施形態では、この余長部分３３ａを利用して、リーダライタ１５０の筐体１００ａにキャスタ３２を取り付け、筐体１００ａがファイル棚３３の横方向に移動するようにキャスタ３２を構成する。そして、アンテナ９をファイル３０の背文字部分３０ａと並行になるように配置する。これにより、ファイル間の移動がスムーズに行なえ、且つアンテナ９の高さを一定に維持することができる。尚、移動手段としてキャスタ３２として説明したが、摩擦力を軽減する手段であれば他のものでも構わない。
また、筐体１００ａは、少なくともアンテナ９を内蔵し、リーダライタ１６０の各機能部品を全て内蔵する場合もある。従って、筐体１００ａはそれなりの重量があり、筐体１００ａ全体を支持するために取っ手３１が必要となる。また、筐体１００ａを横方向に移動するために、操作がし易い位置に配置する必要がある。そこで本実施形態では、取っ手３１をアンテナ９を配設した面と対向する面に設置する。これにより、取っ手９による移動操作が容易となり、操作性を向上させることができる。
【００１３】
図４は本発明の第２の実施形態に係るリーダライタの構成を示す外観構成図である。図４（ａ）は正面図、図４（ｂ）は側面図である。同じ構成要素には図３と同じ参照番号を付して説明する。このリーダライタ１６１が図３に示すリーダライタ１６０と異なる点は、アンテナ９を含む機能部品を可動に構成し、操作ハンドル４１を配設した面にアンテナ９を含む機能部品をスライドする方向に開口３４を設け、この開口３４に操作ハンドル４１の軸３５を摺動させることにより、アンテナ９を含む機能部品をスライドさせることである。
即ち、本実施形態では、アンテナ９を含む機能部品、特にアンテナ９を上下にスライドさせるために、その部分を筐体１００ａにより可動に支持する。そして、スライド方向に開口３４を設け、その開口３４に操作ハンドル４１の軸３５を摺動させてアンテナ９を含む機能部品をスライドさせる。これにより、操作ハンドル４１だけで筐体１００ａの移動とアンテナ９を含む機能部品のスライドを行うことができるので、アンテナ９とＲＦタグ２００との位置を最適に設定することができる。
【００１４】
図５は本発明の第３の実施形態に係るリーダライタの構成を示す外観構成図である。図５（ａ）は正面図、図５（ｂ）は側面図である。同じ構成要素には図３と同じ参照番号を付して説明する。このリーダライタ１６２が図３に示すリーダライタ１６０と異なる点は、アンテナ９を含む機能部品を筐体１００ａにより可動に支持し、操作ハンドル４１の軸３５に取り付けた歯車３７と、アンテナ９を含む機能部品をスライドする方向と並行に取り付け、歯車３７と噛み合うラック３６とを備え、操作ハンドル４１を矢印の方向に回転することにより、アンテナ９を含む機能部品をスライドさせる。
即ち、アンテナ９を含む機能部品を上下にスライドさせる場合、歯車３７を介してスライドした方が細かく移動距離を調整でき、且つスライドのための力が少なくて済む。そこで本実施形態では、操作ハンドル４１の軸３５に歯車３７を取り付け、アンテナ９を含む機能部品に固定したラック３６に噛み合わせて操作ハンドル４１を回転することにより、アンテナ９を含む機能部品をスライドさせる。これにより、スライドさせる力が少なくて済み、且つ移動距離を細かく調整することができる。尚、本実施形態では歯車３７とラック３６によりアンテナ等をスライドさせたが、他の手段、例えば、ワイヤ又はチェーン等を使用しても構わない。
【００１５】
図６は本発明の第４の実施形態に係るリーダライタの構成を示す外観構成図である。図６（ａ）は正面図、図６（ｂ）は側面図である。同じ構成要素には図３と同じ参照番号を付して説明する。このリーダライタ１６３が図３に示すリーダライタ１６０と異なる点は、リーダライタ１６３を高所に移動させるために、筐体１００ｄに延長棒３８を取り付けたことである。即ち、ファイル棚３３が複数の棚から構成されている場合、上段にあるファイルに対して操作するとき筐体１００ｄが届かない場合がある。そこで本実施形態では、筐体１００ｄを高所に移動するために、筐体１００ｄに延長棒３８を取り付ける。これにより、高い位置にあるファイル棚に収納されたファイルでも、同じ位置から操作することができる。尚、リーダライタは図３〜図５に示す何れのリーダライタでも構わない。また、予め各リーダライタの筐体に延長棒３８を取り付け可能な構成を設けておくこともできる。
【００１６】
図７は延長棒の部分的な構成を示す図である。延長棒３８の長さを変更可能な構成とするために、例えば、延長棒３８を３８ａと３８ｂに２分割しておき、延長棒３８ａに長さを調節するための固定穴３９を複数設ける。また、延長棒３８ｂは延長棒３８ａより内径を大きくしておき、延長棒３８ａが挿入できる構成にする。そして、長さが決まったら、固定穴３９にピン４０を挿入して固定する。即ち、ファイル棚３３の段数は、ファイル棚の大きさによりまちまちである。そこで延長棒３８の長さを一番高い位置に合わせておくと、下段を操作するときに、長さが邪魔になって操作性が悪くなる。そこで本実施形態では、延長棒３８の長さを変更可能な構成とする。これにより、ファイル棚３３の高さに応じて延長棒３８を最適な長さに調整することができる。
尚、以上の説明では、筐体１００にリーダライタ１５０を内蔵した構成として説明したが、読み取り専用のリーダであっても構わない。
【図面の簡単な説明】
【００１７】
【図１】一般的なリーダライタの構成を示すブロック図である。
【図２】一般的なＲＦタグの構成を示すブロック図である。
【図３】本発明の第1の実施形態に係るリーダライタの構成を示す外観構成図である。
【図４】本発明の第２の実施形態に係るリーダライタの構成を示す外観構成図である。
【図５】本発明の第３の実施形態に係るリーダライタの構成を示す外観構成図である。
【図６】本発明の第４の実施形態に係るリーダライタの構成を示す外観構成図である。
【図７】延長棒の部分的な構成を示す図である。
【図８】従来のハンディタイプのリーダライタの操作方法を説明する図である。
【符号の説明】
【００１８】
９  アンテナ、１０  コネクタ、１１  ケーブル、３０  ファイル、３０ａ  背文字部分、３１  取っ手、３２  キャスタ、３３  ファイル棚、３３ａ  余長部、３４  開口、３５  軸、３６  ラック、３７  歯車、３８  延長棒、３９  固定穴、４０  ピン、４１  操作ハンドル、５０  ＰＣ、１００ａ〜ｄ  筐体、１６０〜１６３  リーダライタ、２００  ＲＦタグ
【図１】
2010092154.tif 000003
【図２】
2010092154.tif 000004
【図３】
2010092154.tif 000005
【図４】
2010092154.tif 000006
【図５】
2010092154.tif 000007
【図６】
2010092154.tif 000008
【図７】
2010092154.tif 000009
【図８】
2010092154.tif 000010